(57)【特許請求の範囲】
【請求項１】
無線リモコンから照明を操作する無線コマンドを受信する無線部と、
赤外線リモコンから照明を操作する赤外線コマンドを受信する受信部と、
親機としての無線リモコンの識別情報を記憶するための記憶部と、
前記記憶部に前記識別情報が記憶されている場合、前記無線部により受信された当該識別情報を含む無線コマンドを受け付け、前記受信部により受信された赤外線コマンドを破棄し、前記記憶部に前記識別情報が記憶されていない場合、前記受信部により受信された赤外線コマンドを受け付ける制御部とを備える
照明器具。
【請求項２】
前記制御部は、前記受信部によってペアリング解除信号を受信した場合、前記記憶部に記憶された識別情報を無効にする
請求項１に記載の照明器具。
【請求項３】
前記制御部は、
前記照明器具に電源が投入された直後に、親機としての無線リモコンの識別情報が前記記憶部に記憶されているか否かを判定し、
前記識別情報が記憶されていないと判定した場合は、ペアリングモードに移行し、
前記ペアリングモードにおいて、前記無線部によって無線リモコンから識別情報を含むペアリングコマンドが受信され、かつ、前記受信部によって赤外線ペアリングトリガー信号が受信された場合に、当該ペアリングコマンドに含まれる識別情報を前記記憶部に新たに記憶させる
請求項１または２に記載の照明器具。
【請求項４】
前記制御部は、
前記識別情報が前記記憶部に記憶されていない判定したとき、第１の照明態様で照明するよう制御し、
前記ペアリングモードにおいて前記ペアリングコマンドを受信したとき、第２の照明態様で照明するよう制御し、
前記当該ペアリングコマンドに含まれる識別情報を前記記憶部に保存したとき、第３の照明態様で照明するように制御する
請求項３に記載の照明器具。
【請求項５】
請求項１に記載の照明器具複数台と、
自身の識別情報を含むペアリングコマンドを一定時間繰り返し送信するペアリング設定モードと、前記無線コマンドを送信する通常の動作モードとを有する無線リモコンと、
前記赤外線コマンドを送信する赤外線リモコンとを備える
照明システム。
【請求項６】
前記赤外線リモコンによる赤外光の配光は、隣接する照明器具が同時に受信しないように設定される
請求項５に記載の照明システム。
【請求項７】
無線リモコンから照明を操作する無線コマンドを受信するステップと、
赤外線リモコンから照明を操作する赤外線コマンドを受信するステップと、
親機としての無線リモコンの識別情報を記憶部に記憶しているか否かを判定するステップと、
前記記憶部に前記識別情報が記憶されている場合、受信した無線コマンドのうち前記識別情報を含む無線コマンドを受け付け、受信した無線コマンドのうち前記識別情報以外の識別情報を含む無線コマンドを破棄し、受信した赤外線コマンドを破棄するステップと、
前記記憶部に前記識別情報が記憶されていない場合、受信した赤外線コマンドを受け付けるステップとを有する
照明器具の制御方法。
【請求項８】
前記照明器具の制御方法は、さらに
前記記憶部に前記識別情報が記憶されている場合に、前記赤外線リモコンからペアリング解除信号を受信したとき、前記記憶部に記憶された識別情報を無効にするステップを有する
請求項７に記載の照明器具の制御方法。
【発明の詳細な説明】
【技術分野】
【０００１】
本発明は、複数の照明器具および無線コントローラを含む照明システムの照明器具、照明システムおよびその制御方法に関する。
【背景技術】
【０００２】
例えば、特許文献１は、ＩＤ（識別情報）により識別される電波受信機能を有する複数の照明器具と、電波送信機能を有する電波リモコンとにより、ＩＤを設定して交信相手を特定するペアリングの設定を行う照明制御装置を開示している。この照明制御装置は、特定の電波リモコンにより、特定の照明器具にＩＤを設定してペアリングを行い、周囲の不特定な電波リモコンによりＩＤが設定されないように、受信感度を低くするとともに、ランプの点灯に伴うノイズの影響を低減するためにランプを消灯させることを開示している。このように、特許文献１の照明制御装置は、周囲の不特定な電波リモコンによりＩＤが設定されないようにし、さらに、ランプからのノイズを低減している。
【０００３】
また、特許文献２は、光を照射可能に形成され、パン方向及びチルト方向に回動可能に支持部材に支持された照明部の照射方向を調整する照明装置の調整装置において、無線信号に基づいて調整装置を駆動し、赤外線信号により無線信号の周波数を変更することを開示している。
【先行技術文献】
【特許文献】
【０００４】
【特許文献１】特開２０１２−８９２７６号公報
【特許文献２】特開２０１１−１９２５４８号公報
【発明の概要】
【発明が解決しようとする課題】
【０００５】
しかしながら、特許文献１ではペアリングされていない照明器具に対しては制御できないという問題がある。例えば、ペアリングされていない照明器具に対して壁スイッチにより電源供給をオンおよびオフすることはできるが、壁スイッチには複数の照明器具が対応するので、ペアリングされていない照明器具を個別に制御することはできない。
【０００６】
また、特許文献２は、無線信号の周波数割り当てをペアリングとみなせば、周波数数割り当てがなされていない場合は、照明器具を制御できない。
【０００７】
本発明は、ペアリングされた照明器具もペアリングされていない照明器具も容易に制御可能な照明器具、照明システムおよびその制御方法を提供することを目的とする。
【課題を解決するための手段】
【０００８】
上記目的を達成するために、本発明に係る照明器具一形態は、無線リモコンから照明を操作する無線コマンドを受信する無線部と、赤外線リモコンから照明を操作する赤外線コマンドを受信する受信部と、親機としての無線リモコンの識別情報を記憶するための記憶部と、前記記憶部に前記識別情報が記憶されている場合、前記無線部により受信された当該識別情報を含む無線コマンドを受け付け、前記受信部により受信された赤外線コマンドを破棄し、前記記憶部に前記識別情報が記憶されていない場合、前記受信部により受信された赤外線コマンドを受け付ける制御部とを備える。
【０００９】
また、本発明に係る照明システムの一形態は、上記の照明器具複数台と、自身の識別情報を含むペアリングコマンドを一定時間繰り返し送信するペアリング設定モードと、前記無線コマンドを送信する通常の動作モードとを有する無線リモコンと、前記赤外線コマンドを送信する赤外線リモコンとを備える。
【００１０】
また、本発明に係る照明器具の制御方法の一形態は、無線リモコンから照明を操作する無線コマンドを受信するステップと、赤外線リモコンから照明を操作する赤外線コマンドを受信するステップと、親機としての無線リモコンの識別情報を記憶部に記憶しているか否かを判定するステップと、前記記憶部に前記識別情報が記憶されている場合、受信した無線コマンドのうち前記識別情報を含む無線コマンドを受け付け、受信した無線コマンドのうち前記識別情報以外の識別情報を含む無線コマンドを破棄し、受信した赤外線コマンドを破棄するステップと、前記記憶部に前記識別情報が記憶されていない場合、受信した赤外線コマンドを受け付けるステップとを有する。
【発明の効果】
【００１１】
本発明に係る照明器具、照明システムおよびその制御方法によれば、複数の照明器具および無線コントローラを含む照明システムにおいてペアリングされた照明器具もペアリングされていない照明器具も容易に制御可能にすることができる。
【図面の簡単な説明】
【００１２】
【図１】図１は、実施の形態１における照明システムの構成例を示すブロック図である。
【図２Ａ】図２Ａは、実施の形態１における照明システムの設置例を示す模式図である。
【図２Ｂ】図２Ｂは、実施の形態１における照明システムの他の設置例を示す模式図である。
【図３】図３は、実施の形態１における照明器具の構成例を示すブロック図である。
【図４】図４は、実施の形態１における照明器具のコマンド受信処理の一例を示すフローチャートである。
【図５】図５は、実施の形態１における無線リモコンの構成例を示すブロック図である。
【図６】図６は、実施の形態１における赤外線リモコンの構成例を示すブロック図である。
【図７】図７は、実施の形態１における無線リモコンのペアリング設定モードの処理例を示すフローチャートである。
【図８】図８は、実施の形態１における照明器具の電源投入時の処理例を示すフローチャートである。
【図９】図９は、実施の形態２における無線リモコンのペアリング設定モードの処理例を示すフローチャートである。
【図１０】図１０は、実施の形態２における照明器具の電源投入時の処理例を示すフローチャートである。
【発明を実施するための形態】
【００１３】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１４】
（実施の形態１）
以下図面を用いて、本実施の形態における照明システムについて説明する。
【００１５】
［１．１  照明システムの構成例］
図１は、実施の形態１における照明システムの構成例を示すブロック図である。同図の照明システムは、スイッチ１０、複数の照明器具１００、無線リモコン２００および赤外線リモコン３００を備える。
【００１６】
スイッチスイッチ１０は、複数の照明器具１００に接続された交流配線の導通および非導通を切り替える、いわゆる壁スイッチである。同図ではスイッチ１０を１つしか図示していないが、例えば、５台の照明器具１００当たり１つのスイッチ１０を備える。
【００１７】
複数の照明器具１００は、スイッチ１０によってオンおよびオフを制御される他に、無線リモコン２００および３００によって制御される。具体的には、照明器具１００が親機としての無線リモコン２００の識別情報を記憶している場合（つまり、ペアリングされている場合であり下記の初期状態２でない場合）、当該識別情報を含む無線コマンドを受け付け、赤外線リモコン３００から受信した赤外線コマンドを破棄する。ただし、照明器具１００は、ペアリングされている場合でも、赤外線リモコン３００から受信したペアリング解除信号については受け付ける。また、照明器具１００は、親機の識別情報を記憶していない場合（つまり、ペアリングされていない場合であり、初期状態２である場合）、受信された赤外線コマンドを受け付ける。これによれば、複数の照明器具１００および無線リモコン２００を含む照明システムにおいてペアリングされた照明器具１００もペアリングされていない照明器具１００も容易に制御可能にすることができる。具体的には、無線リモコン２００にペアリングされていない照明器具１００は、赤外線リモコン３００により制御することができる。
【００１８】
例えば、照明システムの設置作業においてペアリングされていない照明器具１００が判明した場合に、当該照明器具１００を無線リモコン２００では制御できないが、赤外線リモコン３００によって点灯および消灯を含む制御をすることができる。例えば、居室内の一角を打ち合わせコーナー等にレイアウトした場合、対応する照明器具１００のペアリングを解除して、無線リモコン２００による制御を外せば、赤外線リモコン３００によって、打ち合わせ時に点灯し、打ち合わせしていない時に消灯することができる。
【００１９】
上記のように、無線リモコン２００が照明器具１００を制御するためには、無線リモコン２００と照明器具１００とがペアリングされている必要がある。ペアリングは、照明器具１００が親機としての無線リモコン２００の識別情報を記憶していればよい。これにより照明器具１００に親機としての無線リモコン２００を対応付ける。上記の識別情報は、例えば無線リモコン２００のアドレスである。ペアリングされた照明器具１００は、親機の識別情報を含む無線コマンドに従って動作する。ペアリングされていない照明器具１００は、親機がわからないため無線コマンドを無視する。なお、ペアリングは、少なくとも照明器具１００が親機の識別情報を記憶していればよいが、さらに、無線リモコン２００が照明器具１００の識別情報、機種情報等を記憶してもよい。
【００２０】
照明器具１００は、電源投入時に初期状態である場合は、親機としての無線リモコン２００の識別情報を記憶するためのペアリングモードで動作する。本実施形態ではペアリングモードは、簡易設定モードと手動設定モードの２種類がある。電源投入時に照明器具１００が初期状態１であれば簡易設定モードで、電源投入時の照明器具１００が初期状態２であれば手動設定モードで動作する。
【００２１】
初期状態１は、照明器具１００が工場出荷時の状態である。つまり、初期状態１は、親機である無線リモコン２００の識別情報が記憶されていないだけでなく、他の設定データ（例えば現在の調光レベルを示すデータ、調色レベルを示すデータ等）も初期値にリセットされた状態である。
【００２２】
また、初期状態２は、親機である無線リモコン２００の識別情報が記憶されていない状態である。例えば、ペアリングされている照明器具１００においてペアリングが解除されたとき、初期状態２になる。
【００２３】
簡易設定モードでは、照明器具１００は、電源投入時に初期状態１である場合、何れかの無線リモコン２００からペアリングコマンドを受信したときに、直ちに、当該ペアリングコマンドに含まれる識別情報を、親機の無線リモコン２００の識別情報として記憶する。
【００２４】
手動設定モードでは、照明器具１００は、電源投入時に初期状態２である場合、何れかの無線リモコン２００からペアリングコマンドを受信したときに、さらに、赤外線リモコン３００からのペアリングトリガー信号を受信したときに、当該ペアリングコマンドに含まれる識別情報を、親機の無線リモコン２００の識別情報として記憶する。言い換えれば、照明器具１００は、電源投入時に初期状態２である場合、何れかの無線リモコン２００からペアリングコマンドを受信したときに、赤外線リモコン３００からのペアリングトリガー信号を受信するまで、当該ペアリングコマンドに含まれる識別情報を、親機の無線リモコン２００の識別情報として記憶することを保留する。
【００２５】
無線リモコン２００は、ペアリングされた照明器具１００を無線コマンドにより制御するリモートコントローラである。ペアリング設定モードの開始を指示するユーザ操作、例えば設定モードボタンの押下等がなされたとき、無線リモコン２００は、自身の識別情報を含むペアリングコマンドを一時的に繰り返し送信する。ここでいう一時的とは、例えば５分間、１０分間等でよいし、ペアリング設定モードの終了を指示するユーザ操作、例えば上記設定モードボタンの押下までの時間でもよい。
【００２６】
赤外線リモコン３００は、照明器具１００を赤外線コマンドにより制御するリモートコントローラである。上記の簡易設定モードでは、赤外線リモコン３００は不要である。一方、手動設定モードでは、赤外線リモコン３００は、ペアリングの対象となる照明器具１００にペアリングトリガー信号を送信するために用いられる。なお、赤外線リモコン３００は、ペアリングされた照明器具１００を原則的に制御できないが、ペアリングされていない照明器具１００を制御することができる。
【００２７】
［１．２  照明システムの配置例］
次に、照明システムの配置例を説明する。
【００２８】
図２Ａは、実施の形態１における照明システムの設置例を示す模式図である。同図は、居室、店舗等の天井に設置された３２台の照明器具１００と、壁に設置された２台の無線リモコン２００と、２つのスイッチ１０とを表している。破線枠は照明器具１００のグループを示す。グループＧ１は、左側の１６台の照明器具１００と、「ｘ」マークが付与された３台の照明器具１００をメンバとする。グループＧ２は、右側の１６台から「ｘ」マークの３台を除いた１３台の照明器具１００をメンバとする。
【００２９】
また、左側のスイッチ１０は左側の１６台に対応し、右側のスイッチ１０は右側の１６台に対応するものとする。この場合、グループＧ１、Ｇ２は２つのスイッチ１０と完全には対応していない。
【００３０】
この照明システムの設置工事において、設置直後の照明器具１００は、いずれも無線リモコン２００にペアリングされていない。また、照明器具１００はいずれも工場出荷時の状態にある。上記のグループＧ１、Ｇ２のペアリングは、例えば、次のような手順で行うことができる。
【００３１】
（１−１）まず、左側の無線リモコン２００と左側の１６台の照明器具１００とを簡易設定モードでペアリングする。（１−２）右側の無線リモコン２００と右側の１６台の照明器具１００とを簡易設定モードでペアリングする。（１−３）「ｘ」マークの３台の照明器具１００のペアリングを解除する。（１−４）「ｘ」マークの３台の照明器具１００を手動設定モードでペアリングする。
【００３２】
また、例えば、次の手順でペアリングすることもできる。
【００３３】
（２−１）右側の無線リモコン２００と右側の１６台の照明器具１００とを簡易設定モードでペアリングする。（２−２）「ｘ」マークの３台の照明器具１００のペアリングを解除する。（２−３）左側の１６台の照明器具１００および「ｘ」マークの３台の照明器具１００を手動設定モードでペアリングする。
【００３４】
上記の２例において、ユーザ（設置工事者）は、簡易設定モードでは、スイッチ１０および無線リモコン２００を操作するだけで容易にペアリングすることができる。手動設定モードでは、スイッチ１０、無線リモコン２００および赤外線リモコン３００を操作するだけで容易にペアリングすることができる。また、赤外線リモコン３００の操作だけで簡単にペアリングを解除することができる。言い換えれば、ユーザは、高い位置に（つまり天井に）配置された個々の照明器具１００に対して直接操作をする必要がなく、容易にペアリングすることができる。
【００３５】
図２Ｂは、実施の形態１における照明システムの他の設置例を示す模式図である。同図は、隣接する２つの居室または店舗等に設置された照明システムを表す。左側の居室または店舗には１５台の照明器具１００と無線リモコン２００とが配置されている。右側の居室または店舗にも１５台の照明器具１００と無線リモコン２００とが配置されている。図中の円弧は、左側の無線リモコン２００が送信する電波の到達範囲を示す。太線の円弧ｒ１は、定格上の電波の到達範囲を示す。実際の電波の到達範囲は、無線リモコン２００および照明器具１００の位置関係および設置環境によって、定格上の円弧ｒ１を超えることがある。例えば、左側の無線リモコン２００の電波が隣の居室または店舗を含む円弧ｒ２まで到達することがある。新築の建物では隣接する居室または店舗で同時に照明システムの設置工事をすることがあり、例えば同図の左側の無線リモコン２００のペアリングモードコマンドを、誤って右側の居室または店舗の照明器具１００が受信し、誤ってペアリングされることがある。本実施の形態における照明器具１００は、誤ってペアリングされた場合に、赤外線リモコン３００からのペアリング解除信号によって容易にペアリングを解除することができる。言い換えれば、誤ってペアリングされた照明器具１００をユーザが直接操作することなく、容易にペアリングを解除することができる。
【００３６】
［１．３  照明器具の構成例］
次に照明器具１００の具体的な構成について説明する。
【００３７】
図３は、実施の形態１における照明器具１００の構成例を示すブロック図である。同図のように、照明器具１００は、光源ユニット１１０、点灯回路１１１、制御部１１２、通信部１１３、記憶部１１４、および電源回路１１５を備える。
【００３８】
光源ユニット１１０は、１以上の発光素子を備える。１以上の発光素子は、例えば、複数のＬＥＤ（Light Emitting Diode）素子である。なお、１以上の発光素子は、ＬＥＤ素子に限定されない。光源ユニット１１０は、例えば、半導体レーザ等の半導体発光素子、有機ＥＬ（Electro Luminescence）または無機ＥＬ等の固体発光素子を有してもよい。また、光源ユニット１１０は、図２Ａ、図２Ｂの照明器具１００のような直管型でもよいし、または円環型の蛍光灯でもよいし、ダウンライトでもよい。
【００３９】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００４０】
制御部１１２は、複数の照明態様に対応して点灯回路１１１を制御する。また、制御部１１２は、例えば、明るさを調節する調光機能、色温度を調節する調色機能、時間をかけて明るさを調節するフェード機能、等々を制御する。制御部１１２は、、無線リモコン２００、赤外線リモコン３００から無線部１１３ａ、受信部１１３ｂを介して受信した無線コマンドおよび赤外線コマンドに従う。
【００４１】
また、制御部１１２は、電源投入時に、親機の識別情報を記憶部１１４に記憶していないことを含む初期状態であるか否かを判定し、初期状態であると判定した場合は、ペアリングモードに移行する。制御部１１２は、ペアリングモードにおいて、無線リモコン２００の識別情報を含むペアリングコマンドを受信した場合、当該識別情報を新たに記憶部１１４に保存し、親機の識別情報を新たに保存した後、当該識別情報を含む無線コマンドに従って照明器具１００を動作させる。
【００４２】
ただし、上記のペアリングモードにおいて、制御部１１２は、照明器具１００の状態に応じて前記ペアリングモードとして簡易設定モードおよび手動設定モードの一方を選択し、ペアリングモードが簡易設定モードである場合、ペアリングコマンドを受信したとき、直ちに前記識別情報を前記記憶部１１４に保存し、ペアリングモードが手動設定モードである場合、ペアリングコマンドを受信した後、赤外線リモコン３００からのペアリングトリガー信号を受信するまで、識別情報の保存を保留する。
【００４３】
なお、制御部１１２は、ペアリングモードにおいて、ステップＳ７５で識別情報を新たに保存するだけでなく、照明器具１００の識別情報を含む応答信号を親機である無線リモコン２００宛てに送信してもよい。
【００４４】
無線部１１３ａは、無線リモコン２００からの無線コマンドを受信する。無線コマンドは、上記のペアリングコマンド、調光または調色等を指示する無線コマンド等を含む。
【００４５】
受信部１１３ｂは、赤外線リモコン３００からの赤外線コマンド、ペアリングトリガー信号、ペアリング解除信号を受信する。
【００４６】
記憶部１１４は、親機としての無線リモコンの識別情報、現在の調光レベルを示すデータ、現在の調色レベルを示すデータ、照明器具１００の機種情報、状態を示すフラグ類などを記憶する。ただし、工場出荷時の状態では、識別情報は無効な値であり、他のデータはデフォルト値である。状態を示すフラグ類は、工場出荷時の状態であるか否かを示すフラグ、識別情報が有効か無効かを示すフラグを含んでいてもよい。
【００４７】
電源回路１１５は、照明器具１００内の各部に電源を供給する。
【００４８】
これによれば、簡易設定モードでは、赤外線リモコンからのペアリングトリガー信号を必要としないで、簡単にペアリングをすることができる。また、手動設定モードでは、複数の照明器具のうち、赤外線リモコンからのペアリングトリガー信号を受信した照明器具を選択的に確実にペアリングすることができる。また、簡易設定モードおよび手動設定モードの何れのモードでも、ユーザが直接照明器具１００を操作することなくペアリングすることができる。
【００４９】
［１．４  照明システムのコマンド受信処理例］
次に、照明器具１００のコマンド受信処理について説明する。
【００５０】
図４は、実施の形態１における照明器具１００のコマンド受信処理の一例を示すフローチャートである。
【００５１】
照明器具１００は、無線コマンドを受信したとき（Ｓ８０でｙｅｓ）、ペアリング済みであるか否か、および当該無線コマンドが親機から送信された無線コマンドであるか否かを判定する（Ｓ８１、Ｓ８２）。判定の結果、ペアリング済であって（Ｓ８１でｙｅｓ）、かつ、当該無線コマンドが親機の無線リモコン２００から送信された無線コマンドである場合に（Ｓ８２でｙｅｓ）、照明器具１００は、当該無線コマンドを受け付ける（Ｓ８３）。一方、ペアリング済でない場合は（Ｓ８１でｎｏ）、当該無線コマンドを破棄し、親機からの無線コマンドでない場合（Ｓ８２でｎｏ）、照明器具１００は、当該無線コマンドを破棄する（Ｓ８４）。
【００５２】
また、照明器具１００は、赤外線信号を受信したとき（Ｓ８５でｙｅｓ）、ペアリング済みであるか否かを判定し（Ｓ８６）、ペアリング済であると判定した場合、さらに、当該赤外線信号がペアリング解除信号であるか否かを判定する（Ｓ８７）。
【００５３】
判定の結果、ペアリング済であって（Ｓ８６でｙｅｓ）、当該赤外線信号がペアリング解除信号でない場合には（Ｓ８７でｎｏ）、当該赤外線信号（この場合赤外線コマンド）を破棄する（Ｓ８８）。また、当該赤外線信号がペアリング解除信号である場合には（Ｓ８７でｙｅｓ）、識別情報を無効にする（Ｓ８９）。一方、ペアリング済でない場合は（Ｓ８６でｎｏ）、照明器具１００は、当該赤外線信号を受け付ける（Ｓ９０）。
【００５４】
照明器具１００は、当該無線コマンドを受け付ける（Ｓ８３）。ペアリング済でない場合も（Ｓ８１でｎｏ）、親機からの無線コマンドでない場合も（Ｓ８２でｎｏ）、照明器具１００は、当該無線コマンドを破棄する（Ｓ８４）。
【００５５】
このように、複数の照明器具１００および無線リモコンを含む照明システムにおいてペアリングされた照明器具もペアリングされていない照明器具も容易に制御可能にすることができる。具体的には、無線リモコン２００にペアリングされていない照明器具１００は、赤外線リモコン３００により制御することができる。
【００５６】
例えば、照明システムの設置作業においてペアリングされていない照明器具１００が判明した場合に、当該照明器具１００を無線リモコンでは制御できないが、赤外線リモコン３００によって点灯および消灯を含む制御をすることができる。また、例えば、居室内の一角を打ち合わせコーナー等にレイアウトした場合、対応する照明器具１００のペアリングを解除して、無線リモコン２００による制御を外せば、赤外線リモコン３００によって、打ち合わせ時に点灯し、打ち合わせしていない時に消灯することができる。
【００５７】
以上説明してきたように、本実施の形態におけるペアリング方法、照明器具および照明システムによれば、複数の照明器具１００および無線リモコン２００を含む照明システムにおいて少ない手順でペアリングを容易に行うことができる。
【００５８】
［１．５  無線リモコンの構成例］
図５は、実施の形態１における無線リモコン２００の構成例を示すブロック図である。同図のように、無線リモコン２００は、表示パネル２１１、操作部２１２、ＣＰＵ２１３、メモリ２１４、無線部２１５を備える。
【００５９】
表示パネル２１１は、例えば、液晶表示パネルであり、現在の状態（動作モード、照明の状態、時刻等）を表示する。
【００６０】
操作部２１２は、複数の操作ボタンを含む。複数の操作ボタンは、ペアリング設定モードの開始または終了を指示するための設定モードボタン、調光レベルを上げるアップボタン、調光レベルを下げるダウンボタン等を含む。
【００６１】
ＣＰＵ２１３は、メモリ２１４に記憶されたプログラムを実行することによって、無線リモコン２００の動作および無線コマンドの送信を制御する。具体的には、ＣＰＵ２１３は、操作部２１２におけるユーザ操作に従って、無線部２１５を解して無線コマンドを照明器具１００に送信することにより照明器具１００を制御する。例えば、ユーザが設定モードボタンを押下したとき、ＣＰＵ２１３は、無線リモコン２００の識別情報を含むペアリングコマンドを、無線部２１５を介して一時的に繰り返し送信する。繰り返しの周期は、例えば０．５秒でよく、数１００ｍＳでよい。また、一時的とは、例えば５分間、１０分間等の一定時間でもよいし、ペアリング設定モードの終了を指示するユーザ操作、例えば上記設定モードボタンの押下までの時間でもよい。
【００６２】
メモリ２１４は、ＣＰＵ２１３が実行するプログラムおよびデータを記憶する。また、ペアリング設定モードにおいて、照明器具１００から照明器具１００の識別情報を含む応答信号を受信したときは、ペアリング情報として照明器具１００の識別情報を記憶する。
【００６３】
無線部２１５は、ＣＰＵ２１３の制御に従って、無線コマンドを送受信する。
【００６４】
このように、照明器具１００の設置工事においてペアリングする場合に、ユーザは無線リモコン２００に対しては設定モードボタンの押下だけでペアリング設定モードに移行する。具体的には、簡易設定モードでは、スイッチ１０をオンする操作と、無線リモコン２００でモード設定ボタンをオンする動作だけでペアリングすることができる。
【００６５】
［１．６  赤外線リモコンの構成例］
図６は、実施の形態１における赤外線リモコン３００の構成例を示すブロック図である。同図のように、赤外線リモコン３００は、表示パネル３１１、操作部３１２、ＣＰＵ３１３、メモリ３１４、送信部３１５、電池３１６を備える。
【００６６】
表示パネル３１１は、例えば、液晶表示パネルであり、現在の状態（動作モード、照明の状態、時刻等）を表示する。
【００６７】
操作部３１２は、複数の操作ボタンを含む。複数の操作ボタンは、ペアリングトリガーボタン、ペアリング解除ボタン、オンボタン、オフボタン等を含む。ペアリングトリガーボタンは、ペアリングトリガー信号の送信用である。ペアリング解除ボタンは、ペアリング解除信号の送信用である。オンボタンは、照明器具１００をオンにするためのボタンである。オフボタンは、照明器具１００をオフにするためのボタンである。
【００６８】
ＣＰＵ３１３は、メモリ３１４に記憶されたプログラムを実行することによって、赤外線リモコン３００の動作と、赤外線コマンド、ペアリングトリガー信号およびペアリング解除信号の送信とを制御する。
【００６９】
メモリ３１４は、ＣＰＵ３１３が実行するプログラムおよびデータを記憶する。
【００７０】
送信部３１５は、例えば、赤外線ＬＥＤ等の赤外線発光素子であり、ＣＰＵ２１３の制御に従って、赤外線コマンド、ペアリングトリガー信号およびペアリング解除信号を送信する。赤外線リモコン３００による赤外光の配光は、隣接する照明器具１００が同時に受信しないように狭く設定される。例えば、ユーザが対象となる照明器具１００の近くで、照明器具１００に赤外線リモコン３００を照明器具１００に向けて送信すれば、隣接する他の照明器具１００が赤外線リモコン３００からの赤外線信号を受信できないようにしている。言い換えれば、赤外線リモコン３００は照明器具１００に個別に送信することができる。
【００７１】
電池３１６は、赤外線リモコン３００に電力を供給する。
【００７２】
［２．１  照明システムのペアリング動作例］
以上のように構成された本実施の形態における照明システムについて、以下その動作を説明する。
【００７３】
まず、無線リモコン２００のペアリング設定モードにおける動作について説明する。
【００７４】
図７は、実施の形態１における無線リモコン２００のペアリング設定モードの処理例を示すフローチャートである。
【００７５】
ユーザは、親機とすべき無線リモコン２００に対して、ペアリング設定モードを開始する操作を行う。ここでは、ペアリング設定モードを開始する操作は、設定モードボタンの押下である。
【００７６】
無線リモコン２００は、ペアリング設定モードを開始する操作を受け付けると（Ｓ６１）、無線リモコン２００の識別情報を含むペアリングコマンドを一時的に繰り返し送信する（Ｓ６２、Ｓ６３）。ペアリングコマンドには宛先として、例えば、ブロードキャストアドレスが設定される。ステップＳ６３では、例えば１０分間の時間経過をもって終了と判定してもよいし、ユーザによるモード設定ボタンの押下をもって終了と判定してもよいし、これらの両方を判定し一方を満たせば終了と判定してもよい。
【００７７】
このように、ユーザは、無線リモコン２００に対しては、設定モードボタンの押下という操作だけ容易にペアリング設定モードにすることができる。
【００７８】
次に、照明器具１００におけるペアリング動作について説明する。
【００７９】
図８は、実施の形態１における照明器具１００の電源投入時の処理例を示すフローチャートである。
【００８０】
ユーザは、ペアリングの対象となる照明器具１００に対応するスイッチ１０をオンにする。
【００８１】
照明器具１００は、電源投入時に、初期状態１つまり工場出荷時の状態であるか否かを判定し、初期状態１であると判定した場合は（Ｓ７０でｙｅｓ）、簡易設定モードＭ１に移行に、初期状態１でないと判定した場合は（Ｓ７０でｎｏ）、初期状態２つまり親機の識別情報を記憶しているか否かを判定する。さらに、照明器具１００は、初期状態２であると判定した場合は（Ｓ７１でｙｅｓ）、手動設定モードＭ２に移行に、初期状態２でないと判定した場合は（Ｓ７１でｎｏ）、通常の動作モードに移行する。
【００８２】
例えば、照明システムを居室または店舗に設置して初めてスイッチ１０によって電源オンにしたときは、照明器具１００は簡易設定モードＭ１に移行する。また、ペアリングされた照明器具１００のペアリングが解除された場合には、照明器具１００の電源オン時に手動設定モードＭ２に移行する。
【００８３】
まず、簡易設定モードＭ１について説明する。
【００８４】
簡易設定モードＭ１において、照明器具１００は、第１の照明態様（例えば、全点灯つまり１００％の調光レベル）で点灯し（Ｓ７２）、何れかも無線リモコン２００からペアリングコマンドを受信したときに（Ｓ７３）、第２の照明態様（例えば点滅）で点灯する（Ｓ７４）。
【００８５】
これにより、複数の照明器具１００および無線リモコン２００を含む照明システムの設置作業において、ユーザ（つまり設置作業者）は、電源投入時にペアリングされていない照明器具１００とペアリングされている照明器具１００とを見分けることができ、さらに、ペアリングコマンドを受信したか否かを見分けることができる。こうしてユーザは、照明システムの設置作業の進捗を確実にチェックすることができる。
【００８６】
さらに、ペアリングコマンドを受信した照明器具１００は、受信したペアリングコマンドに含まれる識別情報を、親機の識別情報として新たに記憶し（Ｓ７５）、所定の照明態様（例えば５０％調光レベル）で点灯し（Ｓ７６）、親機の識別情報を含む無線コマンドに従って照明器具を動作させる動作モード（Ｓ７７）に移行する。
【００８７】
このように簡易設定モードＭ１によれば、複数の照明器具１００および無線リモコン２００を含む照明システムの設置作業において少ない手順でペアリングを簡単にすることができる。具体的には、ユーザは、無線リモコン２００に対して設定モードボタンを押下し、スイッチ１０をオンにするだけで、対応するスイッチ１０に対応する照明器具１００と無線リモコン２００とをペアリングすることができる。
【００８８】
次に、手動設定モードＭ２について説明する。
【００８９】
ステップＳ７１において初期状態２であると判定された照明器具１００は、手動設定モードＭ２に移行する。図８に示すように、手動設定モードＭ２は、簡易設定モードと比べて、ステップＳ７４とステップＳ７５の間にステップＳ７００が追加されている点が異なる。以下、異なる点を中心に説明する。
【００９０】
手動設定モードにおいて、照明器具１００は、ペアリングコマンドを受信した後、赤外線リモコン３００からのペアリングトリガー信号を受信するまで、識別情報の記憶を保留する、つまり、ペアリングトリガー信号を受信したか否かを判定し、受信したと判定した場合に識別情報を記憶する（Ｓ７００）。このように手動設定モードでは、スイッチ１０に対応する複数の照明器具１００のうち所望の照明器具１００を選択的にペアリングすることができる。つまり、手動設定モードとして、複数の照明器具１００のうち、赤外線リモコン３００からのペアリングトリガー信号を受信した照明器具１００を選択的に確実にペアリングすることができる。
【００９１】
なお、ステップＳ７５において、照明器具１００の識別情報を含む応答信号を無線リモコン２００に送信した場合、無線リモコン２００は、ペアリングされた照明器具１００を個別に制御するようにしてもよい。例えば、無線リモコン２００は、ペアリング解除を指示する無線コマンドを送ってもよい。
【００９２】
（実施の形態２）
次に、実施の形態２における照明システムについて説明する。実施の形態１では、照明器具１００の電源投入時に照明器具１００が初期状態１であれば簡易設定モードに、初期状態２であれば手動設定モードに移行する例を説明した。これに対して、本実施の形態では、ペアリングコマンドが簡易設定コマンドおよび手動設定コマンドの何れかであり、無線リモコン２００からのペアリングコマンドによって、簡易設定モードと手動設定モードを選択する照明システムについて説明する。
【００９３】
本実施形態における照明システムは、図１、図３、図５および図６に示したブロック図とほぼ同じである。異なる点は、ペアリングコマンドが簡易設定コマンドおよび手動設定コマンドの何れかである点と、これに対応する動作が異なる。以下、異なる点を中心に説明する。
【００９４】
図９は、実施の形態２における無線リモコン２００のペアリング設定モードの処理例を示すフローチャートである。
【００９５】
ユーザは、親機とすべき無線リモコン２００に対して、ペアリング設定モードを開始する操作を行う。例えば、簡易設定モードを開始する操作は、簡易設定モードボタンの押下であり、手動設定モードを開始する操作は、手動設定モードボタンの押下である。なお、ペアリング設定モードを開始する操作は、表示パネル２１１でのメニュー表示によって、簡易設定モードか手動設定モードかを選択する操作でもよい。
【００９６】
無線リモコン２００は、簡易設定モードを開始する操作を受け付けると（Ｓ９１）、無線リモコン２００の識別情報を含むペアリングコマンドとして簡易設定コマンドを一時的に繰り返し送信する（Ｓ９２、Ｓ９３）。
【００９７】
また、無線リモコン２００は、手動設定モードを開始する操作を受け付けると（Ｓ９４）、無線リモコン２００の識別情報を含むペアリングコマンドとして手動設定コマンドを一時的に繰り返し送信する（Ｓ９５、Ｓ９６）。
【００９８】
上記のペアリングコマンド（簡易設定コマンドおよび手動設定コマンド）には宛先として、例えば、ブロードキャストアドレスが設定される。ステップＳ９３、Ｓ９６では、例えば１０分間の時間経過をもって終了と判定してもよいし、ユーザによるモード設定ボタンの押下をもって終了と判定してもよいし、これらの両方を判定し一方を満たせば終了と判定してもよい。
【００９９】
このように、ユーザは、ペアリング設定モードとして簡易設定モードと手動設定モードとを選択することができる。
【０１００】
図１０は、実施の形態２における照明器具１００の電源投入時の処理例を示すフローチャートである。同図において、照明器具１００は、電源投入直後に、初期状態２であるか否かを判定する(Ｓ１０１)。初期状態２は、既に説明したように、記憶部１１４に親機としての無線リモコン２００の識別情報が記憶されていない状態をいう。
【０１０１】
初期状態２であると判定した場合は（Ｓ１０１でｙｅｓ）、照明器具１００は、簡単／手動設定モードＭ３に移行し、初期状態でないと判定した場合は（Ｓ１０１でｎｏ）、照明器具１００は、通常の動作モードに移行する（Ｓ７７）。
【０１０２】
簡単／手動設定モードＭ３は、図８の簡易設定モードＭ１と比べて、ステップＳ７４の直後にステップＳ７４とＳ７５の間に、ステップＳ１００およびＳ７００が追加されている点が異なる。以下、異なる点を中心に説明する。
【０１０３】
照明器具１００は、ステップＳ７３で受信したペアリングコマンドが簡易設定コマンドであるか手動設定コマンドであるかを判定する（Ｓ１００）。
【０１０４】
ペアリングコマンドが簡易設定コマンドである場合（Ｓ１００でｙｅｓ）、照明器具１００は、直ちに、前記識別情報を記憶する（Ｓ７５）。
【０１０５】
ペアリングコマンドが手動設定コマンドである場合（Ｓ１００でｎｏ）、照明器具１００は、赤外線リモコンからのペアリングトリガー信号を受信するまで、前記識別情報の保存を保留する（Ｓ７００）。
【０１０６】
以上説明してきたように、本実施の形態におけるペアリング方法、照明器具１００および照明システムによれば、ペアリングコマンドが簡易設定コマンドである場合には、赤外線リモコン３００からのペアリングトリガー信号を必要としないで、簡単にペアリングをすることができる。つまり、簡易設定モードとして容易にペアリングすることができる。
【０１０７】
一方、ペアリングコマンドが手動設定コマンドである場合には、複数の照明器具１００のうち所望の照明器具１００を選択的にペアリングすることができる。つまり、手動設定モードとして、複数の照明器具１００のうち、赤外線リモコンからのペアリングトリガー信号を受信した照明器具を選択的に確実にペアリングすることができる。
【０１０８】
また、照明システムの設置作業において、ペアリング設定モードを簡易設定モードおよび確実設定モードの何れにするかは、無線リモコンにおいてユーザ（設置作業者）が自由に選択することができる。
【０１０９】
なお、実施の形態１において、照明器具１００は、（ａ）電源投入直後（例えば電源投入から２秒以内）にペアリングコマンドを受けた場合は、簡易設定モードに移行し、（ｂ）それ以外に（例えば電源投入から２秒以上後に）ペアリングコマンドを受けた場合は、手動設定モードに移行するようにしてもよい。（ａ）は、無線リモコン２００がペアリング設定モードであるときに、照明器具１００の電源を投入した場合に該当する。（ｂ）は、照明器具１００の電源投入後に（例えば２秒以上後に）、無線リモコン２００がペアリングモードに移行した場合に該当する。
【０１１０】
また、実施の形態２においても、無線リモコン２００が実施の形態１と同様に（簡易設定コマンド、手動設定コマンドの区別のない）ペアリングコマンドを送信し、上記の（ａ）および（ｂ）により、簡易設定モードと手動設定モードとを区別してもよい。
【０１１１】
なお、照明器具１００は、上記（ａ）、（ｂ）の代わりに次の（Ａ）、（Ｂ）としてもよい。照明器具１００は、ペアリングコマンドを受けたとき（Ａ）現在ペアリングモードである場合は（ステップＳ７３の受信待ちの状態である場合は）、簡易設定モードに移行し、（Ｂ）現在ペアリング設定モードでない場合は（通常の動作モードの場合）、手動設定モードに移行するようにしてもよい。また、（Ａ）、（Ｂ）簡易設定モードと手動設定モードは逆でもよい。
【０１１２】
以上のように実施の形態に係る照明器具１００は、無線リモコン２００から照明を操作する無線コマンドを受信する無線部１１３ａと、赤外線リモコン３００から照明を操作する赤外線コマンドを受信する受信部１１３ｂと、親機としての無線リモコン３００の識別情報を記憶するための記憶部１１４と、記憶部１１４に識別情報が記憶されている場合、無線部１１３ａにより受信された当該識別情報を含む無線コマンドを受け付け、受信部１１３ｂにより受信された赤外線コマンドを破棄し、記憶部１１４に識別情報が記憶されていない場合、受信部１１３ｂにより受信された赤外線コマンドを受け付ける制御部１１２とを備える。
【０１１３】
これによれば、複数の照明器具および無線リモコン２００を含む照明システムにおいてペアリングされた照明器具１００もペアリングされていない照明器具１００も容易に制御可能にすることができる。具体的には、無線リモコン２００にペアリングされていない照明器具１００は、赤外線リモコン３００により制御することができる。
【０１１４】
例えば、照明システムの設置作業においてペアリングされていない照明器具１００が判明した場合に、当該照明器具１００を無線リモコン２００では制御できないが、赤外線リモコン３００によって点灯および消灯を含む制御をすることができる。
【０１１５】
例えば、居室内の一角を打ち合わせコーナー等にレイアウトした場合、対応する照明器具１００のペアリングを解除して、無線リモコン２００による制御を外せば、赤外線リモコン３００によって、打ち合わせ時に点灯し、打ち合わせしていない時に消灯することができる。
【０１１６】
ここで、制御部１１２は、受信部によってペアリング解除信号を受信した場合、記憶部に記憶された識別情報を無効にしてもよい。
【０１１７】
これによれば、所望の照明器具１００を無線リモコン２００の制御対象から除外することができる。例えば、居室内のレイアウト変更により無線リモコン２００の制御対象となる照明器具１００を変更する場合に、所望の照明器具１００のペアリングを赤外線リモコン３００によって容易に解除することができる。例えば、簡易設定モードによって、想定外の照明器具１００がペアリングされた場合に容易に当該ペアリングを解除することができる。
【０１１８】
ここで、制御部１１２は、照明器具１００に電源が投入された直後に、親機としての無線リモコン２００の識別情報が記憶部に記憶されているか否かを判定し、識別情報が記憶されていないと判定した場合は、ペアリングモードに移行し、ペアリングモードにおいて、無線部１１３ａによって無線リモコン２００から識別情報を含むペアリングコマンドが受信され、かつ、受信部１１３ｂによって赤外線ペアリングトリガー信号が受信された場合に、当該ペアリングコマンドに含まれる識別情報を記憶部１１４に新たに記憶させてもよい。
【０１１９】
これによれば、ペアリングモードにおいて、複数の照明器具１００のうち所望の照明器具１００を選択的にペアリングすることができる。つまり、複数の照明器具１００のうち、赤外線リモコン３００からのペアリングトリガー信号を受信した照明器具１００を選択的に確実にペアリングすることができる。
【０１２０】
ここで、制御部１１２は、識別情報が記憶部１１４に記憶されていない判定したとき、第１の照明態様で照明するよう制御し、ペアリングモードにおいてペアリングコマンドを受信したとき、第２の照明態様で照明するよう制御し、当該ペアリングコマンドに含まれる識別情報を記憶部１１４に保存したとき、第３の照明態様で照明するように制御してもよい。
【０１２１】
これによれば、複数の照明器具１００および無線リモコン２００を含む照明システムの設置作業において、ユーザ（つまり設置作業者）は、電源投入時にペアリングされていない照明器具１００とペアリングされている照明器具１００とを見分けることができ、また、ペアリングコマンドを受信したか否かを見分けることができる。さらに、ユーザ（つまり設置作業者）は、ペアリングが正しく完了した照明器具１００とペアリングが完了していない照明器具１００とを見分けることができる。こうしてユーザは、照明システムの設置作業の進捗を確実にチェックすることができる。
【０１２２】
また、実施の形態に係る照明システムは、上記の照明器具１００複数台と、自身の識別情報を含むペアリングコマンドを一定時間繰り返し送信するペアリング設定モードと、無線コマンドを送信する通常の動作モードとを有する無線リモコン２００と、赤外線コマンドを送信する赤外線リモコン３００とを備える。
【０１２３】
これによれば、複数の照明器具１００および無線リモコン２００を含む照明システムにおいてペアリングされた照明器具１００もペアリングされていない照明器具１００も容易に制御可能にすることができる。具体的には、無線リモコン２００にペアリングされていない照明器具１００は、赤外線リモコン３００により制御することができる。
【０１２４】
ここで、赤外線リモコン３００による赤外光の配光は、隣接する照明器具１００が同時に受信しないように設定されてもよい。
【０１２５】
これによれば、赤外線リモコン３００は、赤外線信号を２つ以上の照明装置１００に跨って送信することなく、照明装置１００個別に送信することができる。
【０１２６】
また、実施の形態に係る照明器具１００の制御方法は、無線リモコンから照明を操作する無線コマンドを受信するステップと、赤外線リモコンから照明を操作する赤外線コマンドを受信するステップと、親機としての無線リモコンの識別情報を記憶部に記憶しているか否かを判定するステップと、記憶部に識別情報が記憶されている場合、受信した無線コマンドのうち識別情報を含む無線コマンドを受け付け、受信した無線コマンドのうち識別情報以外の識別情報を含む無線コマンドを破棄し、受信した赤外線コマンドを破棄するステップと、記憶部に識別情報が記憶されていない場合、受信した赤外線コマンドを受け付けるステップとを有する。
【０１２７】
これによれば、複数の照明器具１００および無線リモコン２００を含む照明システムにおいてペアリングされた照明器具１００もペアリングされていない照明器具１００も容易に制御可能にすることができる。具体的には、無線リモコン３００にペアリングされていない照明器具１００は、赤外線リモコン３００により制御することができる。
【０１２８】
ここで、照明器具１００の制御方法は、さらに記憶部１１４に識別情報が記憶されている場合に、赤外線リモコン３００からてペアリング解除信号を受信したとき、記憶部１１４に記憶された識別情報を無効にするステップを有してもよい。
【０１２９】
これによれば、所望の照明器具１００を無線リモコン２００の制御対象から除外することができる。例えば、居室内のレイアウト変更により無線リモコン２００の制御対象となる照明器具１００を変更する場合に、所望の照明器具１００のペアリングを赤外線リモコン３００によって容易に解除することができる。例えば、簡易設定モードによって、想定外の照明器具１００がペアリングされた場合に容易に当該ペアリングを解除することができる。
【０１３０】
以上、本発明に係る照明器具、照明システムおよびその制御方法について、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【符号の説明】
【０１３１】
１００  照明器具
１１２  制御部
１１３ａ  無線部
１１３ｂ  受信部
１１４  記憶部
２００  無線リモコン
３００  赤外線リモコン
【図１】
0006447920.tif 000002
【図２Ａ】
0006447920.tif 000003
【図２Ｂ】
0006447920.tif 000004
【図３】
0006447920.tif 000005
【図４】
0006447920.tif 000006
【図５】
0006447920.tif 000007
【図６】
0006447920.tif 000008
【図７】
0006447920.tif 000009
【図８】
0006447920.tif 000010
【図９】
0006447920.tif 000011
【図１０】
0006447920.tif 000012